(57)【特許請求の範囲】
【請求項１】
事物の状況や人の感情を示した言語で表される抽象表現とこの抽象表現の度合を示した抽象表現度合とによって定義付けられるＮ個の符号化軸によって空間が構成され、入力された入力データを、前記抽象表現に対応するラベルと前記抽象表現度合に対応する値とからなる、前記空間におけるベクトルとする抽象情報にする抽象情報符号化装置と、前記抽象情報を受信し、制御機器を制御することで、前記抽象情報に基づいた状況を表現する抽象情報再構成装置とを備えた抽象情報符号化再構成システムに供される抽象情報再構成装置であって、
前記抽象情報符号化装置から送られた前記抽象情報を取得する取得手段と、
この取得手段で取得された抽象情報のラベルと、当該ラベルと類似する類似度と共に当該ラベルと意味が同じである言葉である同義語、当該ラベルと意味が似通っている言葉である類義語、当該ラベルと意味が反対である言葉である反義語、当該ラベルと反対の意味に似通っている言葉である反類義語とを含み、前記ラベルと、前記同義語、前記類義語、前記反義語および前記反類義語の少なくとも１つとを対応付けた軸変換辞書を用いて、前記Ｎ個の符号化軸で表現される抽象情報を、Ｍ個の符号化軸で表現されるベクトルにするＮ×Ｍの行列の中から、前記抽象表現度合に前記類似度を乗算及び前記抽象情報に複数の符号化軸が含まれていた場合で乗算した結果が複数ある場合に加算し、前記同義語、前記類義語、前記反義語および前記反類義語の少なくとも１つに前記ラベルを置き換えることで、前記抽象表現を置換抽象表現とし、この置換抽象表現と当該置換抽象表現の度合を示した置換抽象表現度合とによって定義づけられる、Ｍ個の置換符号化軸に、前記符号化軸を変換するＮ×Ｍ行列を得る符号化軸変換手段と、
前記Ｎ個の符号化軸で表現される抽象情報を、前記符号化軸変換手段で変換された置換符号化軸における置換抽象表現が交わるＭ次元の空間上におけるベクトルとした際に、当該ベクトルが、当該空間の予め備えられた領域のいずれに属しているかを得る抽象情報再構成手段と、
この抽象情報再構成手段において前記ベクトルが属している領域に予め割り振られた制御信号を、前記制御機器に出力して、前記抽象情報に基づいた状況を表現する抽象情報表現手段と、を備え、
前記抽象情報のラベルとの類似度が１００％のラベルが前記軸変換辞書にない場合で、当該ラベルと前記置換符号化軸を特定する他のラベルとの関係が定義されている場合には、前記符号化軸変換手段は、前記抽象表現度合に類似度を乗算して、前記符号化軸の抽象表現度合を前記置換符号化軸の置換抽象表現度合に変換し、
前記抽象情報のラベルとの類似度が１００％のラベルが前記軸変換辞書にない場合で、当該ラベルと前記置換符号化軸を特定する他のラベルとの関係が定義されている場合には、前記符号化軸変換手段は、前記置換抽象表現度合を、前記置換符号化軸毎の予め定義されたデフォルト値とし、前記抽象情報再構成手段は、前記デフォルト値によって指示されるベクトルを得ることを特徴とする抽象情報再構成装置。
【請求項２】
映像・音声データが前記空間におけるベクトルとなる抽象情報を、前記取得手段で取得した場合、前記抽象情報表現手段が、前記映像・音声データに付されている時刻情報に対応させて、前記抽象情報に基づいた状況を表現することを特徴とする請求項１に記載の抽象情報再構成装置。
【発明の詳細な説明】
【０００１】
【発明の属する技術分野】
本発明は、抽象的な言葉等で表現可能な「場」の状況が抽象情報として生成されたものを利用する抽象情報再構成装置に関する。
【０００２】
【従来の技術】
従来、映像中の風景、登場人物の演技および映像に付随している音声（音響効果）等で醸し出される（演出される）「場の状況（場の雰囲気）」を、体感的に視聴者側に伝達するものとして、例えば、映画館等において、映写されている映像（特に、インパクトのあるシーン）に合わせて、当該映画館内に備えられている観客席が振動するもの（以下、映像連動観客席振動システムという）などがある。
【０００３】
この映像連動観客席振動システムは、映像を制作した映像制作者の意図によって設定した制御信号を、観客席に伝送し、当該観客席を振動させるものであった。
例えば、映像制作者によって設定される制御信号は、通常、信号を設定する設定側（送信側：映像制作者）と制御信号で制御される制御側（受信側：この場合、映画館の観客席）で共有された標準化した軸、この場合、“観客席振動レベル設定軸”、“振動レベル出力電力軸”によって表されることになる。
【０００４】
【発明が解決しようとする課題】
しかしながら、従来のシステム（映像連動観客席振動システムを含む）では、映像を制作した映像制作者の意図した制御信号、すなわち、制御を想定した制御機器（この場合、観客席）に一義的な制御信号を伝達するものであり、例えば、こういった従来のシステムを一般のテレビ放送に用いようとした場合、受信側の視聴者が所有している制御機器が予測不可能であるので、視聴者側で十分に「場の状況（場の雰囲気）」を再構成することができないという問題がある。
【０００５】
つまり、従来のシステムにおいて伝達される一義的な制御信号では、「場の状況」を再構成する複数の制御機器の制御が困難であり、一義的な制御信号ではない、すなわち、視聴者側（受信側）において、より自由に解釈可能な制御信号が生成された場合であっても、さらに、受信側において、当該制御信号をより自由に解釈する際に、受信側に備えられている制御機器間で解釈の幅（複数通りの解釈）を持たせることが望まれている。
【０００６】
そこで、本発明の目的は前記した従来の技術が有する課題を解消し、より柔軟に、より多様に、制御機器を制御するために生成された情報を、複数通りに解釈して、場の状況（場の雰囲気）を再構成することができる抽象情報再構成装置を提供することにある。
【０００７】
【課題を解決するための手段】
本発明は、前記した目的を達成するため、以下に示す構成とした。
請求項１に記載の抽象情報再構成装置は、事物の状況や人の感情を示した言語で表される抽象表現とこの抽象表現の度合を示した抽象表現度合とによって定義付けられるＮ個の符号化軸によって空間が構成され、入力された入力データを、前記抽象表現に対応するラベルと前記抽象表現度合に対応する値とからなる、前記空間におけるベクトルとする抽象情報にする抽象情報符号化装置と、前記抽象情報を受信し、制御機器を制御することで、前記抽象情報に基づいた状況を表現する抽象情報再構成装置とを備えた抽象情報符号化再構成システムに供される抽象情報再構成装置であって、前記抽象情報符号化装置から送られた前記抽象情報を取得する取得手段と、この取得手段で取得された抽象情報のラベルと、当該ラベルと類似する類似度と共に当該ラベルと意味が同じである言葉である同義語、当該ラベルと意味が似通っている言葉である類義語、当該ラベルと意味が反対である言葉である反義語、当該ラベルと反対の意味に似通っている言葉である反類義語とを含み、前記ラベルと、前記同義語、前記類義語、前記反義語および前記反類義語の少なくとも１つとを対応付けた軸変換辞書を用いて、前記Ｎ個の符号化軸で表現される抽象情報を、Ｍ個の符号化軸で表現されるベクトルにするＮ×Ｍの行列の中から、前記抽象表現度合に前記類似度を乗算及び前記抽象情報に複数の符号化軸が含まれていた場合で乗算した結果が複数ある場合に加算し、前記同義語、前記類義語、前記反義語および前記反類義語の少なくとも１つに前記ラベルを置き換えることで、前記抽象表現を置換抽象表現とし、この置換抽象表現と当該置換抽象表現の度合を示した置換抽象表現度合とによって定義づけられる、Ｍ個の置換符号化軸に、前記符号化軸を変換するＮ×Ｍ行列を得る符号化軸変換手段と、前記Ｎ個の符号化軸で表現される抽象情報を、前記符号化軸変換手段で変換された置換符号化軸における置換抽象表現が交わるＭ次元の空間上におけるベクトルとした際に、当該ベクトルが、当該空間の予め備えられた領域のいずれに属しているかを得る抽象情報再構成手段と、この抽象情報再構成手段において前記ベクトルが属している領域に予め割り振られた制御信号を、前記制御機器に出力して、前記抽象情報に基づいた状況を表現する抽象情報表現手段と、を備え、前記抽象情報のラベルとの類似度が１００％のラベルが前記軸変換辞書にない場合で、当該ラベルと前記置換符号化軸を特定する他のラベルとの関係が定義されている場合には、前記符号化軸変換手段は、前記抽象表現度合に類似度を乗算して、前記符号化軸の抽象表現度合を前記置換符号化軸の置換抽象表現度合に変換し、前記抽象情報のラベルとの類似度が１００％のラベルが前記軸変換辞書にない場合で、当該ラベルと前記置換符号化軸を特定する他のラベルとの関係が定義されている場合には、前記符号化軸変換手段は、前記置換抽象表現度合を、前記置換符号化軸毎の予め定義されたデフォルト値とし、前記抽象情報再構成手段は、前記デフォルト値によって指示されるベクトルを得ることを特徴とする。
【０００８】
かかる構成によれば、抽象情報再構成装置は、取得手段によって、抽象情報符号化装置から送られた前記抽象情報を取得し、符号化軸変換手段によって、取得手段で取得された抽象情報のラベルと、当該ラベルと類似する類似度と共に当該ラベルと意味が同じである言葉である同義語、当該ラベルと意味が似通っている言葉である類義語、当該ラベルと意味が反対である言葉である反義語、当該ラベルと反対の意味に似通っている言葉である反類義語とを含み、前記ラベルと、前記同義語、前記類義語、前記反義語および前記反類義語の少なくとも１つとを対応付けた軸変換辞書を用いて、前記Ｎ個の符号化軸で表現される抽象情報を、Ｍ個の符号化軸で表現されるベクトルにするＮ×Ｍの行列の中から、前記抽象表現度合に前記類似度を乗算及び前記抽象情報に複数の符号化軸が含まれていた場合で乗算した結果が複数ある場合に加算し、前記同義語、前記類義語、前記反義語および前記反類義語の少なくとも１つに前記ラベルを置き換えることで、前記抽象表現を置換抽象表現とし、この置換抽象表現と当該置換抽象表現の度合を示した置換抽象表現度合とによって定義づけられる、Ｍ個の置換符号化軸に、前記符号化軸を変換するＮ×Ｍ行列を得る。抽象情報再構成装置は、抽象情報再構成手段によって、Ｎ個の符号化軸で表現される抽象情報を、前記符号化軸変換手段で変換された置換符号化軸における置換抽象表現が交わるＭ次元の空間上におけるベクトルとした際に、当該ベクトルが、当該空間の予め備えられた領域のいずれに属しているかを得て、抽象情報表現手段によって、抽象情報再構成手段において前記ベクトルが属している領域に予め割り振られた制御信号を、前記制御機器に出力して、前記抽象情報に基づいた状況を表現する。
【０００９】
なお、取得手段によって取得される入力データとは、映像・音声データ、測定データ、テキストデータのいずれかであり、映像・音声データはいわゆるコンテンツに相当するものであって、映像データと音声データとの少なくとも１つのデータである。測定データは、気温、湿度、照度、可聴音（例、騒音の音圧）等の環境に関するデータや、長さ、重量、電流、電圧等の物理的なデータ等の測定可能なデータを指すものである。また、テキストデータは、例えば、映像番組の台本や、小説等の文章を電子データ化したものであって、このテキストデータには、例えば、「うれしい」、「悲しい」、「暑い」、「寒い」、「すがすがしい」、「気持ちが悪い」等の人の感情に関する表現がある。なお、この抽象表現の度合いを示した抽象情報度合値として「副詞句」を用い、この「副詞句」を順序立てた符号化軸を設定することも可能である。例えば、抽象表現が「うれしい」である場合、この度合を１〜１０に数値化する代わりに「ほんのちょっと（うれしい）」、「ちょっと（うれしい）」、「すこし（うれしい）」・・・「すごく（うれしい）」「超（うれしい）」といった副詞句による符号化軸上の位置によって表される抽象情報に符号化することも可能である。また、抽象情報再構成手段では、例えば、複数の符号化軸によって構成される仮想的な空間の各領域に制御機器の動作パターン（制御信号）を割り振っておいて、抽象表現度合に基づくベクトルの指す領域によって制御信号が決定される。さらに、軸変換辞書とは、抽象表現を「ラベル」とする符号化軸を別の符号化軸に変換する辞書であり、この辞書は、「ラベル」に関する同義語、類義語、反義語、反類義語の辞書である。そして、この軸変換辞書では関連付けられた２語間の「ラベル」の類似度（−１００％〜１００％）が定義されており、同義語では１００％、類義語では０％超１００％未満、反義語では０％未満−１００％超、反類義語では−１００％とされている。なお、軸変換辞書で変換される置換符号化軸には、関連付けられた２語間の「ラベル」の類似度が１００％（−１００％）を超える場合が想定されている。例えば、「暑い」から「暖かい」に「ラベル」を変換する場合には、「暑い」方が「暖かい」よりも、一般的に想定される温度が高いので、類似度が１５０％とされる。反対に、「暖かい」から「暑い」に「ラベル」を変換する場合には、「暖かい」方が「暑い」よりも一般的に想定される温度が低いので、類似度が６０％とされる。このような場合には、類似度には方向性があるといえ、両方向の類似度の積は、一般的には１（１００％）以下となる。
【００１０】
つまり、抽象情報は、いわゆるベクトル（方向と大きさを持つもの）とみなすことができ、例えば、符号化軸が１本の場合は、軸上のある点（基点といえる：基準点［抽象情報度合値がゼロ］）からある点（数値をプロットした点：数値点）までのベクトルとみなせるし、符号化軸が２本以上ある場合、ある点（基準点）から、ある方向を持った、ある点（数値点）までのベクトルとみなせる。また、符号化軸は、例えば、一端方向を「あつい」、他端方向を「さむい」といった抽象的な表現で表されるもので、この軸上の基準点（抽象情報度合値がゼロ）を中心に、一端方向に絶対値が増加するように「あつい」度合を示す数値が付されると共に、多端方向に絶対値が増加するように「さむい」度合を示す数値が付されたものである。さらに、事物の状況や人の感情を示した言語で表される抽象的な表現は、より具体的には、環境、感情、雰囲気、事象等から抽出される表現（情報）や人為的に創作される表現（情報）である。
【００１３】
請求項２に記載の抽象情報再構成装置は、請求項１に記載の抽象情報再構成装置において、映像・音声データが前記空間におけるベクトルとなる抽象情報を、前記取得手段で取得した場合、前記抽象情報表現手段が、前記映像・音声データに付されている時刻情報に対応させて、前記抽象情報に基づいた状況を表現する。
【００１４】
かかる構成によれば、抽象情報表現手段で、映像・音声データに付されている時刻情報に対応させて、抽象情報に基づいた感興が表現される。つまり、映像・音声データの場合、当該映像・音声データが時刻情報に対応する抽象情報に符号化されているので、例えば、映像データの場合、映像データの特定のシーン（時刻情報で特定されるシーン）に応じて、制御機器が制御される。
【００３１】
【発明の実施の形態】
以下、本発明の一実施の形態について、図面を参照して詳細に説明する。
この実施の形態の説明では、抽象情報再構成装置の説明を、抽象情報符号化再構成システム（抽象情報再構成装置を包括）の説明として行うことにする。
（抽象情報符号化再構成システム［抽象情報再構成装置を包括］）
図１に示すように、抽象情報符号化再構成システム１は、抽象情報符号化装置３と、受信装置５と、表現装置７（７ａ、７ｂ）とを備えている。なお、受信装置５および表現装置７（７ａ、７ｂ）が抽象情報再構成装置に相当するものである。
抽象情報符号化装置３は、入力されたデータを抽象情報に符号化するものであって、抽象情報入力手段９と、抽象情報符号化手段１１と、送出手段１３とを備えている。
【００３２】
抽象情報入力手段９は、測定センサ（図示せず）等で測定された測定データや、放送局で制作される番組の台本等が電子データ化されたテキストデータや、映像・音声コンテンツが入力され、この入力されたデータ（以下、入力データという）を抽象情報符号化手段１１に出力するものである。
【００３３】
抽象情報符号化手段１１は、抽象情報入力手段９から出力された入力データを、以下に示すように抽象情報に符号化するものである。抽象情報は、対になる抽象的な表現、例えば、「あつい」と「さむい」、「うれしい」と「悲しい」、「静か」と「うるさい」を、それぞれ“ラベル”とし、抽象的な表現の度合いを数値化した“値”（請求項に記載の抽象表現度合、以下「値」という）として、これら、ラベルおよび値を合わせて表現されるものである。具体的には、複数のラベルおよび値は、ラベルが両端に付されると共に基準点（“値”ゼロの点）を備えた、直交を必要としない（直交していてもいい）複数の軸に、つまり、基準点から両端の方向に、それぞれのラベルの値が増加するように構成した複数の軸（符号化軸）によって定義されるものである。例えば、一対のラベルおよび値は、基準点を中心に、一端方向に「あつい」値が、他端方向に「さむい」値が増加するように数値が付されている符号化軸で定義付けられる。
【００３４】
より感覚的にわかりやすい例で説明すると、例えば、入力データが気温３０度、湿度８０％だとする。するとまず、抽象情報符号化手段１１は、符号化軸のラベルを「あつい」とし、このラベルの度合い（あつい度合い）を０から１０の数値として付す。そして、入力データの気温３０度、湿度８０％は「あつい度１〜１０」の中でどの程度の値に該当するかを判断し、例えば、「あつい度８」と抽象情報化する。或いは、入力データが音圧レベル８０ｄＢの音声だとする。抽象情報符号化手段１１は、符号化軸のラベルを「うるさい」とし、このラベルの度合い（うるさい度合い）を０から１０の数値として付す。そして、入力データの音圧レベル８０ｄＢは「うるさい度１〜１０」の中でどの程度の値に該当するかを判断し、例えば、「うるさい度１０」と抽象情報化する。
【００３５】
さらに、「ラベル」の符号化のバリエーションについて説明する。入力データがテキストデータであった場合、自然言語のまま「ラベル」にする。つまり、テキストデータが形容詞、連体詞、形容句等、例えば「楽しい」、「柔軟な」、「気分が悪い」等であり、または、テキストデータが程度を表す名詞、名詞句等、例えば「楽しさ」、「柔軟性」、「気分の悪い度」等を、そのまま「ラベル」にする。
【００３６】
こういった「ラベル」は、自然言語のまま、ラベル化するので、ラベル数は、自然言語の言語数（英語、中国語、イタリア語等）および自然言語の語彙に応じて増加可能であり、「ラベル」には、その自然言語で頻繁に使用される語句、例えば、流行語等が反映されることになり、柔軟性、拡張性がある。
【００３７】
また、予め、送信側と受信側とで使用される「ラベル」を共有しておいて、バイナリデータで授受されるデータのフォーマットも互いに既知とし、「ラベル」をバイナリデータで指定可能にした場合、送信側からバイナリーデータを送信して「ラベル」を決定すれば、柔軟性、拡張性は失われることになるが、伝送情報量の圧縮効果を期待することができる
【００３８】
ところで、「ラベル」が自然言語を符号化したものである場合、送信側である抽象情報符号化装置３で生成した「ラベル」と、受信側である受信装置５および表現装置７で解釈するときの「ラベル」（詳細は後記する）とが一致したとしても、自然言語の語句の持つ多義性（同音異義語等による）のため、送信側の「ラベル」が表している事象と、受信側の「ラベル」が表している事象とが異なる場合があり得る。例えば、同じ「熱い」でも、「物が熱い」事象を表す場合も、「心が熱い」事象を表す場合もあり得る。
【００３９】
そこで、次に示すように、抽象情報符号化手段１１で生成される抽象情報の「ラベル」を工夫する。▲１▼出来るだけ多義性のない語句を使用する。例えば「熱い（心が熱い）」の代わりに「情熱的な」という「ラベル」にする。▲２▼単語ではなく、説明的な形容句、名詞句を使用する。例えば「熱い（心が熱い）」の代わりに「恋人を思う気持ちが高まっている（恋人を思う高まった気持ち）」という「ラベル」にする。▲３▼目的の事象を表す複数の語を用いることによって多義性を排除する。例えば「熱い（心が熱い）」の代わりに「熱い、熱烈な、甘い、心が高まる」という「ラベル」にする。
【００４０】
さらに、ここで「値」の符号化のバリエーション▲１▼〜▲５▼について説明する。
▲１▼ラベルの内容が、既知の単位、尺度で表される軸の場合は、そのままの数値を「値」として用いる。例えば、“気温：１０度”の「値」は「１０度」であり、“不快指数：５０％”の「値」は「５０％」であり、“標高：３０００ｍ”の「値」は「３０００ｍ」である。
【００４１】
▲２▼ラベルの内容が、主に主観的・相対的な表現で表されている場合、副詞句を「値」として用いる。例えば、“暑さ：「やや」”の「値」は「やや」であり、“ほのぼの：「とても」”の「値」は「とても」であり、“むかつく：「超」”の「値」は「超」である。
【００４２】
▲３▼ラベルの内容が、主に主観的・相対的な表現で表されている場合、曖昧に正規化された程度数（例えば、最大１００％〜最小−１００％の範囲で表現）を「値」として用いる。例えば、“蒸し暑さ：１００％”の「値」は「１００％」であり、“ぽかぽか：２０％”の「値」は「２０％」である。
【００４３】
４予め、送信側である抽象情報符号化装置３で生成した「ラベル」と、受信側である受信装置５および表現装置７で解釈するときの「ラベル」（詳細は後記する）において、共有されたデフォルト値を用意しておいて、受信側でデフォルト値を表現したい場合には送信側は「値」を省いて伝送することが可能である。
【００４４】
５予め、送信側である抽象情報符号化装置３で生成した「ラベル」と、受信側である受信装置５および表現装置７で解釈するときの「ラベル」（詳細は後記する）において、共有されたデフォルト値が用意されていない場合、受信側の受信装置５または表現装置７に備えられている受信機能（表現機能）として一般的に推論可能な「ラベル」については、受信側で独自にデフォルト値を設定し、このデフォルト値を「値」とすることも可能である。例えば、「暑い」という「ラベル」が受信側で受信された場合、受信側の受信環境に応じた一般的な暑さ（例えば、３０度）をデフォルト値として設定し「値」とする。また、「真っ暗」という「ラベル」が受信側で受信された場合、受信側の受信環境に応じた一般的な暗さの最大値をデフォルト値として設定し「値」とする。
【００４５】
すなわち、抽象情報符号化手段１１には、図示を省略した辞書機能（ラベル付加辞書、変換テーブル）と判定機能とが備えられており、辞書機能は、入力データと抽象的な表現との関連づけをする機能であり、判定機能は、入力データの大小と抽象的な表現の程度とを判定する機能である。
【００４６】
また、抽象情報符号化手段１１は、入力データが映像・音声データである場合、映像・音声データに付されているタイムスタンプ（時刻情報）に基づいて、映像・音声データを抽象情報に符号化する。
【００４７】
そして、この実施の形態では、これらのラベルおよび値が、抽象情報符号化手段１１でＸＭＬによって記述される。ＸＭＬ（ｅＸｔｅｎｓｉｂｌｅ  Ｍａｒｋｕｐ  Ｌａｎｇｕａｇｅ）はテキストベースで記述され、多様なデータ構造を表現可能なドキュメント（文書）記述用の言語のことであり、ユーザが定義できるタグとＤＴＤ（スキーマ：文書型定義）とを使って、「入れ子構造」を指定することによりツリー形式で文書構成要素間の関係を定義できるものである。このＸＭＬを使用して、抽象情報を記述する仕方は、▲１▼「ラベル」を「タグ」に、「値」を「データ」にして記述する。簡単に記述することが出来るが、符号化のたびにＤＴＤを変更する必要が生じる。
【００４８】
例示すると、
＜ラベルのインスタンス＞値のインスタンス＜／ラベルのインタンス＞
＜楽しさ＞１０＜／楽しさ＞
となる。なお、インスタンスとは事例のことである。
【００４９】
▲２▼「ラベル」や「値」を「タグ」にしないで、「データ」にする。こうすると、符号化のたびにＤＴＤを変更する必要がない。
例示すると、
0004167446.tif 000002
となる。
【００５０】
なお、抽象情報符号化手段１１には、入力データの符号化を一定時間間隔で、または、抽象情報の更新が必要なタイミングで随時、符号化を行うタイミング調整手段（図示せず）が備えられている。
【００５１】
送出手段１３は、抽象情報符号化手段１１で符号化した抽象情報と入力データとを同期化して、送出先の放送波または通信網に対応する伝送信号に変調して送出させるものである。なお、この送出手段１３では、抽象情報と入力データとを同期化しているが、抽象情報と入力データとを別々の送出先（放送波または通信網）に対応する伝送信号に変調する場合、或いは抽象情報と入力データとを別の時間帯で送出する場合には、当該抽象情報と当該入力データとの関連が識別できるように、それぞれに識別子が付加される。また、この送出手段１３は、入力データを送出することを中止して、抽象情報のみを伝送信号に変調して送出させることができるものである。
【００５２】
なお、送出手段１３には、抽象情報を一定時間間隔で、または、抽象情報の更新が必要なタイミングで随時、送出するタイミング調整手段（図示せず）が備えられている。つまり、送出手段１３（送信側である抽象情報符号化装置３）で、受信側（受信装置５および表現装置７）において抽象情報を利用する（抽象情報に基づいた感興を表現する）時刻を設定することができる。
【００５３】
また、この送出手段１３は、各瞬間の入力データおよび抽象情報（または抽象情報のみ）に再構成時刻情報を付加する再構成時刻情報付加手段（図示せず）を備えており、受信側の受信装置５および表現装置７において抽象情報に基づいた感興を再構成する再構成処理の時刻（入力データおよび抽象情報を同期させる時刻）を送信側で設定することができる。なお、再構成時刻情報を付加しない場合には、受信側の受信装置５および表現装置７で、抽象情報を受信後、抽象情報に基づいた感興を再構成する再構成処理がすぐに行われる。
【００５４】
受信装置５は、抽象情報符号化装置３から送出された伝送信号を受信するものであって、受信手段１５を備えている。受信手段１５は、伝送信号が放送波によるものであった場合、検波し、復調して、抽象情報と入力データとを検出し、伝送信号が通信回線網によって伝送された場合、受信後、復調して抽象情報と入力データとを検出し、その後、表現装置７に抽象情報と入力データとを出力するものである。なお、この受信手段１５が請求項に記載した取得手段に相当するものである。
【００５５】
表現装置７は、受信装置５と設備内通信網（有線・無線）を介して情報（抽象情報および入力データ等）を送受信できるように構成されており、受信装置５の受信手段１５から出力された抽象情報に基づいた「場の状況（場の雰囲気）」を、各表現装置７の固有特性に応じて表現するものであって、符号化軸変換手段１７と、抽象情報再構成手段１９と、抽象情報表現手段２１と、プロファイル手段２３とを備えている。
【００５６】
この実施の形態では、この表現装置７は、学習機能搭載型の「犬型ロボット」および「猫型ロボット」である。なお、表現装置７は、照明機器（蛍光灯、室内間接照明等）、空調関連機器（扇風機、加湿器、空調機等）の一般電化製品等であってもよい。既存の一般電化製品の場合、少なくとも受信装置５と情報を送受信可能なアダプタ状の機器を付随させる必要がある。さらに、情報を記憶可能な記憶機器を備える必要がある。ただし、照明機器等の照度の調整しか表現動作が想定されない場合や、受信装置５が表現装置７を集中して制御する場合（表現装置７は動作するのみ）には、各表現装置７には、記憶機器を備える必要はない。
【００５７】
符号化軸変換手段１７は、入力された抽象情報である複数（Ｎ個、単数でもよい）の符号化軸上の数値（ラベルおよび値）を、プロファイル手段２３に記憶されている軸変換辞書（図示せず）に基づいて、ベクトル（抽象情報ベクトル）に変換する（置換符号化軸、置換抽象表現度合）ものである。
【００５８】
軸変換辞書は、「ラベル」および符号化軸に関する辞書であり、「ラベル」に関する同義語、類義語、反義語、反類義語を含み、関連づけられた２語間の「類似度」（−１００％〜１００％）を含んで構成されている。この類似度は、同義語では１００％、類義語では０％超１００％未満、反義語では０％未満−１００％超、反類義語では−１００％と設定されている。なお、軸変換辞書で変換される置換符号化軸には、関連付けられた２語間の「ラベル」の類似度が１００％（−１００％）を超える場合が想定されており、方向性がある。例えば、「暖かい」から「暑い」に「ラベル」を変換する場合には、「暑い」方が「暖かい」よりも、一般的に想定される温度が高いので、類似度が１５０％とされる。
【００５９】
この符号化軸変換手段１７は、軸変換辞書を参照した結果、送信側の抽象情報符号化装置３から送出された伝送信号に含まれている抽象情報（ラベルおよび値）と一致する「ラベル」が軸変換辞書中にある場合には、当該抽象情報の「値」をもって、復号した「値」とするものである。
【００６０】
また、送信側の抽象情報符号化装置３から送出された伝送信号に含まれている抽象情報（ラベルおよび値）と一致する「ラベル」が軸変換辞書中にない場合には、この軸変換辞書を検索して、送信側の抽象情報符号化装置３からの「ラベル」と、軸変換辞書中の「ラベル」との関係が定義されている場合、抽象情報符号化装置３からの「ラベル」に類似度を乗じて、復号した「値」とするものである。
【００６１】
さらに、送信側の抽象情報符号化装置３から送出された伝送信号に含まれている抽象情報（ラベルおよび値）と一致する「ラベル」が軸変換辞書中にない場合であって、この軸変換辞書を検索しても、送信側の抽象情報符号化装置３からの「ラベル」と、軸変換辞書中の「ラベル」との関係が定義されていない場合、一致または類似する「ラベル」がないものとして、「０」または予め設定されたデフォルト値を復号した「値」とするものである。
【００６２】
つまり、この符号化軸変換手段１７では、Ｎ個の符号化軸で表現されている抽象情報をＭ個の符号化軸で表現される提示可能なデータ（ベクトル）に変換するものである。すなわち、入力された抽象情報の要素Ｘｉと変換後の抽象情報ベクトルの要素Ｙｊを表現する「ラベル」の相関度（前記した類似度等）をＫｉｊとすると、変換後の抽象情報ベクトルの要素Ｙｊの値は、
Ｙｊ＝Ｋ１ｊＸ１＋Ｋ２ｊＸ２＋・・・＋ＫｎｊＸｎ
で表される。つまり、この軸変換を行う軸変換辞書はＮ×Ｍの行列で表現可能である。
【００６３】
具体的に説明すると、抽象情報が「ぽかぽか度：３０％」、「空腹度：５０％」である場合に、表現装置７が「暑さ」、「うれしさ」の２軸（２個の符号化軸）に基づく動作（詳細は後記する）を表現可能であるとすると、表現装置７のプロファイル手段２３には、次に示す関係式を含んでいる軸変換辞書が記憶されているとすると、
暑さ＝ぽかぽか度×０．８＋空腹度×０＝２４％
うれしさ＝ぽかぽか度×０．５＋空腹度×−０．５＝−１０％
という結果、「ぽかぽか度：３０％」＝「暑さ：２４％」、「空腹度：５０％」＝「うれしさ：−１０％」が得られる。具体的な抽象情報ベクトルおよび多次元空間（２次元）の説明（例示）は後記する。
【００６４】
ここで、軸変換辞書について説明する。
まず、軸変換辞書の入手（▲１▼〜▲９▼）について説明する。▲１▼表現装置７にプロファイル手段２３が備えられており、予め、軸変換辞書が記憶されている（はじめから持っている）。▲２▼受信側（受信装置５および表現装置７）のユーザが軸変換辞書をＣＤ−ＲＯＭ、メモリカード等の記憶媒体として購入する。▲３▼受信側のユーザが軸変換辞書を送信側（例えば、放送局）からダウンロードして得る。▲４▼送信側が抽象情報（「ラベル」、「値」）と共に、軸変換辞書を受信側に送ってくる。
【００６５】
▲５▼軸変換辞書を受信側で予め備えていると共に、送信側から受信側に送ってくる。さらに送ってきた軸変換辞書に基づいて、予め備えられている軸変換辞書を更新していく（学習させていく）。▲６▼受信側（受信装置５および表現装置７）のユーザが定義付けて（新規に、または、入手した軸変換辞書を用いて）プロファイル手段２３に記憶させる。
【００６６】
▲７▼受信装置５、表現装置７が自動的に「軸変換辞書」を学習する。▲８▼表現装置７の動作に基づいた、受信側のユーザの満足度に基づいて、受信装置５、表現装置７が自動的に「軸変換辞書」を学習する。ユーザの満足度とは、表現装置７の動作と、その動作に対してユーザの行った操作との関係から類推したもの（数値化も可能）であって、例えば、表現装置７が抽象情報の解釈結果に基づいた動作開始直後に、表現装置７の停止スイッチが押されたり、チャンネルが変更されたり、設定が変更されたりした場合は、「満足度が低い」とみなしたものである。▲９▼、▲１▼〜▲８▼を適宜組み合わせて、軸変換辞書を得る。
【００６７】
さらに、ここで、プロファイル手段２３に複数の軸変換辞書が備えられる場合に、復号される「値」の決定法のバリエーションについて説明する。
符号化軸変換手段１７に入力された符号化軸の「ラベル」と同じ「ラベル」を持った置換符号化軸を含む複数の軸変換辞書がプロファイル手段２３に備えられている場合には、以下▲１▼〜▲３▼の手法によって「類似度」が得られ、入力された符号化軸に当該「類似度」が乗算され置換符号化軸に変換される（置換符号化軸が決定される）。
▲１▼各軸変換辞書で定義づけられている「類似度」の中で、絶対値の最も大きな「類似度」をもって、使用する「類似度」とされる。
▲２▼各軸変換辞書で定義づけられている「類似度」の平均をもって、使用する「類似度」とされる。
▲３▼送信側から送信された軸変換辞書に予め、符号化軸の「ラベル」に関する「類似度」が定義づけられている場合には、この「類似度」をもって、使用する「類似度」とされる（送信側から送信された軸変換辞書）。
【００６８】
また、符号化軸変換手段１７に入力された符号化軸の「ラベル」と同じ「ラベル」を持った置換符号化軸を含む軸変換辞書がプロファイル手段２３に備えられていない場合には、複数の軸変換辞書が組み合わされ、間接的に符号化軸が置換符号化軸に変換される。例えば、入力された符号化軸の「ラベル」が「Ａ」（以下、「ラベル：Ａ」と記載する）であり、受信側の置換符号化軸の「ラベル」が「Ｂ」（表現装置７の抽象情報再構成手段１９で解釈可能な置換符号化軸の「ラベル」が「Ｂ」、以下「ラベル：Ｂ」と記載する）の際に、軸変換辞書ａ（図示せず）には、「ラベル：Ａ」と別の「ラベル」である「ラベル：Ｃ」との関係が定義されており、軸変換辞書ｂ（図示せず）には「ラベル：Ｂ」と「ラベル：Ｃ」との関係が定義されている場合が挙げられる。この場合、軸変換辞書ａにおける「ラベル：Ａ」と「ラベル：Ｃ」との「類似度」と、軸変換辞書ｂにおける「ラベル：Ｂ」と「ラベル：Ｃ」との「類似度」とが乗算されて「ラベル：Ａ」と「ラベル：Ｂ」との「類似度」とされる。この場合のラベルの変換過程を「ラベルＡＣＢ」と記載する。
【００６９】
またさらに、符号化軸変換手段１７に入力された符号化軸の「ラベル」と同じ「ラベル」を持った置換符号化軸を含む軸変換辞書がプロファイル手段２３に備えられていない場合であり、複数の軸変換辞書が組み合わされ、間接的に符号化軸が置換符号化軸に変換される過程が複数通り存在する場合、例えば、前記した「ラベルＡＣＢ」以外「ラベル：Ｄ」や「ラベル：Ｅ」が介在して「ラベルＡＤＢ」「ラベルＡＥＢ」のように複数通りに変換される場合には、以下▲１▼〜▲４▼の基準によって「類似度」が判定され、入力された符号化軸に当該「類似度」が乗算され置換符号化軸に変換される（置換符号化軸が決定される）。
▲１▼各軸変換辞書において定義される「類似度」を乗じた回数の最も少ないものをもって、使用する「類似度」とされる。
▲２▼各軸変換辞書において定義される「類似度」を乗じた計算結果の中で、絶対値の最も大きなものをもって、使用する「類似度」とされる。
▲３▼各軸変換辞書において定義される「類似度」を乗じた計算結果の平均をもって、使用する「類似度」とされる。
▲４▼各軸変換辞書において定義される「類似度」に、負の値を含んでいる場合には、この変換の優先度を下げる。
【００７０】
さらに、符号化軸変換手段１７に入力された符号化軸の「ラベル」と、複数の軸変換辞書に定義されている置換符号化軸の「ラベル」との関係が複数存在する場合には、入力された符号化軸が、複数の置換符号化軸に変換される。この複数の置換符号化軸は、直交することを必須とすることなく、複数の軸変換辞書によって、間接的に置換符号化軸間の関係を導出することが可能である。
例えば、受信側の表現装置７のプロファイル手段２３に備えられている軸変換辞書によって変換された複数の置換符号化軸が平行に近い場合、「類似度」が最大になる置換符号化軸のみを採用し、他の置換符号化軸は無視する。例えば、表現装置７が気温を制御可能な制御機器であって、抽象情報再構成手段１９において「暑い」、「暖かい」の２つの置換符号化軸について動作が定義されている場合に、入力された符号化軸の「ラベル」が「蒸し暑い」である場合には、受信側の表現装置７の軸変換辞書において「暑い」、「暖かい」の双方の置換符号化軸に変換することができるが、抽象情報再構成手段１９では、類似度の高い方の置換符号化軸（例えば、「暑い」）で定義される動作を実行させる制御信号が出力される。
【００７１】
或いは、受信側の表現装置７のプロファイル手段２３に備えられている軸変換辞書によって変換された複数の置換符号化軸が直交に近い場合、複数の置換符号化軸が組み合わされる。例えば、表現装置７が気温を制御可能な制御機器であって、抽象情報再構成手段１９において「暑い」、「湿度が高い」の２つの置換符号化軸について動作が定義されている場合に、入力された符号化軸の「ラベル」が「蒸し暑い」である場合には、受信側の表現装置７の軸変換辞書において「暑い」、「湿度が高い」の双方の置換符号化軸に変換することができるので、抽象情報再構成手段１９では、それぞれの置換符号化軸で定義される動作を実行させる制御信号（この場合２種の制御信号）が出力される。なお、受信側の表現装置７の軸変換辞書において、２つ以上の置換符号化軸に変換した場合の符号化軸を便宜上、組合せ置換符号化軸（請求項に記載）とする。
【００７２】
以上の説明では、符号化軸変換における類似度の演算方法は、「乗算する」として説明したが、感覚の度合の表現では、リニアスケールばかりでなく、ログスケールで表現する場合も多く、このような場合には、加算（減算）を用いてよい。さらに、これらの組み合わせ等により、演算の具体的な方法は、適宜計算されてもよい。
【００７３】
抽象情報再構成手段１９は、符号化軸変換手段１７で得られた抽象情報ベクトル（置換符号化軸、置換抽象表現度合）が、予め備えられた多次元空間の分割された領域（以下、分割領域という）のどこに属しているか（抽象情報ベクトルの先端がどこを指しているか）を判断するものである。なお、多次元空間に関する情報（多次元空間情報）は、プロファイル手段２３に記憶されている。また各分割領域には動作指示が割り当てられている。
【００７４】
ここで、多次元空間の分割領域の定義方法および分割領域に割り当てられる動作指示の決定方法（▲１▼〜▲５▼）について説明する。
▲１▼多次元空間（Ｍ次元空間）内のＭ′次元体（分割領域）を各動作指示に割り当てる方法（決定する方法）として、各動作指示に対して各符号化軸の数値範囲を決めておいて、抽象情報ベクトルの各要素値（一つの符号化軸の数値毎）が対応するそれぞれの符号化軸の数値範囲に全て納まっている場合には、当該動作指示が選択される。無視すべき符号化軸（抽象情報ベクトルの要素値が存在しない符号化軸）に関しては、無限小から無限大の数値範囲を持つものと仮定して、各動作指示の割り当てが計算される。
【００７５】
▲２▼各動作パターンに対応する点と、そこからの抽象情報ベクトルまでの距離とで動作指示を決定する方法として、各動作指示に対応する分割領域内（空間内）の点（ベクトル）と、入力される抽象情報ベクトルとの判別距離を定義しておき、当該抽象情報ベクトルが判別距離内に入っている場合には、当該動作指示が選択される。なお、無視すべき符号化軸（抽象情報ベクトルの要素値が存在しない符号化軸）に関しては、無限小から無限大の数値範囲で判別される（つまり、各分割領域を超円柱で表現しておく）。
【００７６】
▲３▼線形識別関数（パターン認識おける既存技術）を用いて、動作指示を決定する方法として、多次元空間（Ｍ次元空間）内にＣ（Ｃ−１）／２個（Ｃ＝動作パターン数）の超平面を用意し、当該超平面を各動作指示の境界面として判断する。つまり、分割領域が多次元空間（Ｍ次元空間）内の多面体として表現される。なお、線形識別関数の決定方法として、予め決定された値（式）を送信側（抽象情報符号化装置３）から伝送しておく方法、表現装置７における学習による獲得・更新による方法等が挙げられる。
【００７７】
▲４▼部分空間識別法（パターン認識における既存技術）を用いて、動作指示を決定する方法として、多次元空間（Ｍ次元空間）内にＣ個（Ｃ＝動作パターン数）の部分空間を用意し、抽象情報ベクトルから各部分空間への射影成分が最大となる動作パターンの動作が選択される。なお、部分空間の決定方法および判別方法として、ＣＬＡＦＩＣ・複合類似度法等を用いる手法、予め決定された部分空間（式）を送信側（抽象情報符号化装置３）から伝送しておく方法、表現装置７における学習による獲得・更新による方法等が挙げられる。
【００７８】
▲５▼部分空間識別法による判別と共に、抽象情報ベクトルの大きさを利用して動作指示を決定する方法として、抽象情報ベクトルの大きさがある閾値よりも小さい場合には、動作指示は「何も行動しない」とされる。
【００７９】
またここで、各分割領域の動作指示の構成（割り当て：再構成ルール）▲１▼〜▲８▼について説明する。
▲１▼動作指示は、多くの学習サンプルから抽出して構成する。
▲２▼動作指示は、既成概念等をベースに人為的に操作して数値化して符号化したものとして構成する。
【００８０】
▲３▼▲１▼、▲２▼を送信側（例えば、放送局）で行って、構成した動作指示を受信側（受信装置５および表現装置７）にダウンロードする（例えば、放送波によって）。
▲４▼▲１▼、▲２▼を送信側（例えば、放送局）で行って、構成した動作指示を可搬型メモリ（記憶媒体、ＣＤ−ＲＯＭ等）を介して（販売等）受信側（受信装置５および表現装置７）にインストールさせる。
【００８１】
▲５▼▲１▼、▲２▼を受信側（受信装置５および表現装置７）の受信装置５または表現装置７の組み込み機能として（組み込み機能を持たせて）自動的に、またはユーザの操作によって、動作指示を構成し（作成し）を入力する。
▲６▼可搬型メモリ（記憶媒体：ＣＤ−ＲＯＭ、メモリカード等）を用いて、複数の受信側（受信装置５および表現装置７）間で、動作指示のやりとり（交換等）を行う。
【００８２】
▲７▼表現装置７自体（特に、学習機能搭載型の「ロボット」等）が、学習機能によって独自に、分割領域の動作指示の改変・修正を行う（学習機能）。
▲８▼何らかのメディアを介して（通信網：ネットワーク、記憶媒体、放送波）外部から受信側（受信装置５および表現装置７）に動作指示をインストールする
【００８３】
すなわち、抽象情報再構成手段１９は、これら▲１▼〜▲８▼に示したように分割領域毎の動作指示（動作パターン）を設定する図示を省略した多次元空間領域設定手段を備えるものである。
【００８４】
次に、抽象情報表現手段２１は、抽象情報再構成手段１９で判断された分割領域に割り当てられた動作指示に基づいて、当該表現装置７を動作させるための動作信号（制御信号）に変換するものである。また、この抽象情報表現手段２１は制御信号の制御レベル（動作の程度）を調整する制御信号調整手段（図示せず）が備えられている。
【００８５】
ここで、この制御信号調整手段による制御レベル（動作の程度）の調整方法（▲１▼〜▲５▼）について説明する。
▲１▼受信側（受信装置５および表現装置７）のユーザが受信装置５または表現装置７に備えられているダイヤル等を調整することによって、手動で「制御レベル（動作の程度）」を係数倍して調整する。
【００８６】
▲２▼受信側（受信装置５および表現装置７）のユーザが受信装置５または表現装置７に備えられているダイヤル等を調整することによって、手動で「制御レベル（動作の程度）」の上限値・下限値を設定する。
▲３▼受信側（受信装置５および表現装置７）の装置内に予め設定された情報によって、「制御レベル（動作の程度）」を自動的に係数倍する、または、「制御レベル（動作の程度）」の上限値・下限値を自動的に設定する。
【００８７】
▲４▼▲１▼〜▲３▼の組み合わせによって、制御レベル（動作の程度）」を手動で、または自動的に係数倍する、または、「制御レベル（動作の程度）」の上限値・下限値を手動で、または自動的に設定する。
▲５▼▲４▼に加え、非線形型関数を「制御レベル（動作の程度）」に乗算するなどして、表現装置７において効果的な演出を行えるように、または過度の表現を抑制できるようにする。
【００８８】
さらにここで、表現装置７の「制御レベル（動作の程度）」を調整する際には、受信装置５で受信された抽象情報、または、表現装置７の符号化軸変換手段１７で得られた抽象情報ベクトルを参照する（適用する）。または、抽象情報再構成手段１９で動作指示が決定された後に、抽象情報ベクトルの大きさに応じて、「制御レベル（動作の程度）」を変化させる。
プロファイル手段２３は、軸変換辞書、多次元空間情報を記憶すると共に、表現装置７の動作履歴を記憶しているものである。
【００８９】
（受信装置および表現装置の別の構成）
次に、図２を参照して、受信側が別の構成である抽象情報符号化再構成システム１Ａについて説明する。なお、図１に示した抽象情報符号化再構成システム１と同じ構成については、同じ符号を付し、その説明を省略する。
この図２に示すように、抽象情報符号化再構成システム１Ａの受信側は、受信装置５Ａと、表現装置７Ａ１、７Ａ２とを備えている。抽象情報符号化再構成システム１Ａでは、受信装置５Ａに符号化軸変換手段１７と抽象情報再構成手段１９とが備えられており、表現装置７Ａ１、７Ａ２に抽象情報表現手段２１とプロファイル手段２３とが備えられている。つまり、この抽象情報符号化再構成システム１Ａでは、各表現装置７Ａ１、７Ａ２を受信装置５Ａで集中して制御するものであって、各表現装置７Ａ１、７Ａ２を協同させて、送信側の抽象情報符号化装置３から送信された抽象情報に基づいた感興（その場の雰囲気）を表現することができる。
【００９０】
（抽象情報符号化装置の動作）
次に、図３に示すフローチャートを参照して、抽象情報符号化装置３の動作を説明する。なお、この図３に示したフローチャートは、抽象情報符号化装置３の動作の最も基本的なものである。
【００９１】
まず、抽象情報入力手段９で、測定センサによって測定データがされる（採取環境センシング）と共に、台本等のテキストデータが電子データ化されて、人の感情（感覚の程度）を表す電子データが抽出される（感情オーサリング）（Ｓ１）。これら測定データまたはテキストデータが入力データとされる。
【００９２】
そして、抽象情報符号化手段１１で、入力データが、任意の個数（Ｎ個）の符号化軸による抽象的な表現および抽象的な表現の程度を示した値からなる抽象情報に符号化され、この抽象情報がＸＭＬ等で記述される（Ｓ２）。そして、送出手段１３で、入力データと抽象情報が同期化されて、伝送信号として送出される（Ｓ３）。
【００９３】
すなわち、この抽象情報符号化装置３では、抽象情報入力手段９で、測定データまたはテキストデータが入力される。抽象情報符号化手段１１で、入力されたデータが、対になる抽象的な表現からなる任意個数の符号化軸上の、抽象的な表現の度合いを示した値に基づいた位置によって表される抽象情報に符号化されて、この抽象情報と入力データとが同期化されて伝送信号として送出手段１３で出力される。このため、この伝送信号を受信した受信側で抽象情報が解釈可能であるならば、単純な数値で表される入力データのみを送信した場合よりも、より柔軟に、より多様に、受信側に備えられている機器を制御することができる。また入力データから想起される「場の状況（場の雰囲気）」を受信側で再構成することができる。
【００９４】
また、抽象情報符号化装置３で符号化される抽象情報の符号化軸は、抽象表現度合がゼロとなる基準点を備え、この基準点から前記抽象表現の抽象表現度合が一端方向に増加すると共に当該抽象表現と対極の関係となる対極抽象表現の抽象表現度合が前記基準点から他端方向に増加するように構成されているので、抽象表現に応じて符号化軸が多種多様に設定され、入力データが様々な抽象情報に符号化される。このため、送信側の「場の状況」を多種多様に表現して伝達することができる。
【００９５】
（受信装置および表現装置の動作）
次に、図４に示すフローチャートを参照して、受信側（受信装置５および表現装置７）の動作について説明する。なお、この図４に示したフローチャートは、受信側（受信装置５および表現装置７）の動作の最も基本的なものである。
【００９６】
まず、受信装置５の受信手段１５で、伝送信号が受信され、伝送信号の抽象情報（図中、２×Ｎ次元ベクトル）を復号して、表現装置７へ出力する（Ｓ１１）。
表現装置７の符号化軸変換手段１７で、プロファイル手段２３に記憶されている軸変換辞書（図中、記憶データ）を参照して抽象情報を、抽象情報ベクトル（図中、Ｍ次元ベクトル）に変換し、抽象情報再構成手段１９へ出力する（Ｓ１２）。
【００９７】
そして、抽象情報再構成手段１９で、プロファイル手段２３に記憶されている多次元空間情報（図中、記憶データ）を参照して表現装置７の動作指示に変換して、抽象情報表現手段２１へ出力する（Ｓ１３）。すると、抽象情報表現手段２１で、動作指示に基づいて制御信号に変換し、表現装置７を動作させて、抽象情報に基づいた状況（感興）が表現される（Ｓ１４）。
【００９８】
すなわち、受信装置５の受信手段１５で抽象情報が取得される。表現装置７の符号化軸変換手段１７で抽象情報に基づいて制御機器の特性に合うように、符号化軸および値が変換される。そして、抽象情報再構成手段１９で、抽象的な表現が解釈され、この抽象的な表現の解釈結果（動作指示）に基づいて、抽象情報表現手段２１で、当該表現装置７を制御する制御信号が生成され、表現装置７によって抽象情報に基づいた感興が表現される。このため、送信側から送信される伝送信号に抽象情報が含まれていれば、受信側に備えられる表現装置７に応じて、より柔軟に、より多様に、送信側における「場の状況（場の雰囲気）」を受信側で再構成することができる。
【００９９】
（抽象情報ベクトル、多次元空間の例）
次に、図５を参照して、抽象情報ベクトルおよび多次元空間の例について説明する。図５は、図１に示した抽象情報符号化再構成システム１の受信側の表現装置７ａが「犬型ロボット」であり、表現装置７ｂが「猫型ロボット」であった場合の抽象情報ベクトルと、多次元空間とを例示したものである。図５において、「ａ」が抽象情報ベクトルを示している。
【０１００】
この図５（ａ）に示すように、表現装置７ａが犬型ロボットである場合には、符号化軸＜あつい−さむい＞および符号化軸＜うれしい−かなしい＞に対し、多次元空間は一点破線で示した領域に分割され（分割領域が割振られ）、多次元空間の分割領域の動作指示は、「走り回る」、「ぐだぐだする」、「へこたれる」、「くよくよする」、「部屋に帰る」、「変化なし」といった具合になっている。
【０１０１】
また、図５（ｂ）に示すように、表現装置７ａが猫型ロボットである場合には、符号化軸＜あつい−さむい＞および符号化軸＜うれしい−かなしい＞に対し、多次元空間は一点破線で示した領域に分割され（分割領域が割振られ）、多次元空間の分割領域の動作指示は、「集会を開く」、「昼寝する」、「ダレる」、「泣く」、「コタツで丸くなる」、「変化なし」といった具合になっている。
【０１０２】
つまり、この図５（ａ）、図５（ｂ）からわかるように、同じ抽象情報ベクトルａが入力されたとしても、犬型ロボットは「走り回る」し、猫型ロボットは「昼寝する」ことになり、この抽象情報符号化再構成システム１では、送信側から送信された情報（抽象情報を含む）を受信側でより柔軟に、より多様に解釈し表現することができる。
【０１０３】
以上、一実施形態に基づいて本発明を説明したが、本発明はこれに限定されるものではない。
受信装置５、表現装置７（受信装置５および表現装置７を抽象情報再構成装置とする）の各構成の処理を過程（ステップ）とみなした抽象情報再構成方法と捉えることができ、さらに各構成の処理を一般的なプログラム言語で記述した抽象情報再構成プログラムと捉えることができる。これらの場合、受信装置５、表現装置７と同様の効果が得られる。
【０１０４】
【発明の効果】
請求項１に記載の発明によれば、取得された抽象情報に基づいて制御機器の特性に合うように、軸変換辞書が用いられ、符号化軸における抽象表現および抽象表現度合が置換符号化軸における置換抽象表現および置換抽象表現度合に変換され、抽象情報が解釈される。そして、ベクトルが属している分割領域に基づいて、当該分割領域に割り振られている制御信号が出力され、制御信号を受信した制御機器によって、抽象情報に基づいた状況が表現される。そして、軸変換辞書に抽象情報のラベルとの類似度が１００％のラベルが含まれていない場合で当該ラベルと置換符号化軸を特定する他のラベルとの関係が定義されている場合には、抽象表現度合に類似度を乗算し、軸変換辞書に抽象情報のラベルとの類似度が１００％のラベルが含まれていない場合で当該ラベルと置換符号化軸を特定する他のラベルとの関係が定義されていない場合には、置換抽象表現度合を、置換符号化軸毎の予め定義されたデフォルト値とし、デフォルト値によって指示されるベクトルを得ることで、送信側における「場の状況（場の雰囲気）」を、受信側で、より柔軟に、より多様に、複数通りに解釈して、再構成することができる。
【０１０６】
請求項２に記載の発明によれば、映像・音声データに付されている時刻情報に対応させて、抽象情報に基づいた感興が表現される。例えば、映像データの場合、映像データの特定のシーン（時刻情報で特定されるシーン）に応じて、制御機器が制御されるので、送信側における「場の状況（場の雰囲気）」つまり、映像データの各シーンから想起される雰囲気を表現することができる。
【図面の簡単な説明】
【図１】本発明による一実施の形態である抽象情報符号化再構成システムのブロック図である。
【図２】図１に示した抽象情報符号化再構成システムの受信側を変更したシステムのブロック図である。
【図３】抽象情報符号化装置の基本動作を説明したフローチャートである。
【図４】受信装置および表現装置の基本動作を説明したフローチャートである。
【図５】抽象情報ベクトルと多次元空間の例を示した説明図である。
【符号の説明】
１、１Ａ  抽象情報符号化再構成システム
３  抽象情報符号化装置
５、５Ａ  受信装置
７、７ａ、７ｂ、７Ａ１、７Ａ２  表現装置
９  抽象情報入力手段
１１  抽象情報符号化手段
１３  送出手段
１５  受信手段
１７  符号化軸変換手段
１９  抽象情報再構成手段
２１  抽象情報表現手段
２３  プロファイル手段
【図１】
0004167446.tif 000003
【図２】
0004167446.tif 000004
【図３】
0004167446.tif 000005
【図４】
0004167446.tif 000006
【図５】
0004167446.tif 000007